(57)【要約】【課題】回折型光変調器を用いたディスプレイシステムにおいて、映像有効面の線速を一定に維持するようにスキャナ回転速度を構成して映像有効面に均一な映像が表示されるようにする、スキャニングディスプレイシステムのスキャナプロファイル設定装置の提供。【解決手段】スキャナを含んでいる投射系からなるスキャニングディスプレイシステムにおいて、前記スキャナからスクリーンに投射される映像の線速度を一定に維持するためのスキャナプロファイルを形成するスキャナプロファイル設定部と、前記スキャナプロファイル設定部で設定されたスキャナプロファイルに応じてスキャナ制御信号を生成するスキャニング制御部と、前記スキャナ制御部で生成されたスキャナプロ制御信号に基づいてスキャナを制御するスキャナ駆動回路とを含んでなる、スキャニングディスプレイシステムのスキャナプロファイル設定装置を提供する。【選択図】図４
2008083698.tif 000002
【特許請求の範囲】
【請求項１】
スキャナを含んでいる投射系を有するスキャニングディスプレイシステムにおいて、
前記スキャナからスクリーンに投射される映像の線速度を一定に維持するためのスキャナプロファイルを形成するスキャナプロファイル設定部と、
前記スキャナプロファイル設定部で設定されたスキャナプロファイルに応じてスキャナ制御信号を生成するスキャニング制御部と、
前記スキャニング制御部で生成されたスキャナ制御信号に基づいてスキャナを制御するスキャナ駆動回路とを含んでなることを特徴とする、スキャニングディスプレイシステムのスキャナプロファイル設定装置。
【請求項２】
スキャナプロファイルを格納しているスキャナプロファイル格納部をさらに含み、
前記スキャナプロファイル設定部は、スキャナプロファイルを前記スキャナプロファイル格納部に格納し、
前記スキャニング制御部は、前記スキャナプロファイル格納部に格納されたスキャナプロファイルに応じてスキャナ制御信号を生成することを特徴とする、請求項１に記載のスキャニングディスプレイシステムのスキャナプロファイル設定装置。
【請求項３】
前記スキャナプロファイル設定部で設定するスキャナプロファイルは、スキャナの回転角プロファイルであることを特徴とする、請求項１に記載のスキャニングディスプレイシステムのスキャナプロファイル設定装置。
【請求項４】
前記スキャナプロファイル設定部で設定するスキャナプロファイルは、スキャナの回転速度プロファイルであることを特徴とする、請求項１に記載のスキャニングディスプレイシステムのスキャナプロファイル設定装置。
【請求項５】
外部ユーザから初期データの入力を受け、この初期データを前記スキャナプロファイル設定部に提供するための入力部をさらに含み、
前記スキャナプロファイル設定部は、前記入力部から入力された初期データに応じてスキャナプロファイルを設定することを特徴とする、請求項１に記載のスキャニングディスプレイシステムのスキャナプロファイル設定装置。
【請求項６】
前記スキャナプロファイル設定部は、前記スクリーンに投射される映像の線速度を一定の値にした後、回転角を計算することを特徴とする、請求項１に記載のスキャニングディスプレイシステムのスキャナプロファイル設定装置。
【発明の詳細な説明】
【技術分野】
【０００１】
本発明は、スキャニングディスプレイシステムのスキャナプロファイル設定装置に係り、特に、回折型光変調器を用いたディスプレイシステムにおいて、映像有効面の線速を一定に維持するようにスキャナ回転速度を構成して映像有効面に均一な映像が表示されるようにする、スキャニングディスプレイシステムのスキャナプロファイル設定装置に関する。
【背景技術】
【０００２】
一般に、光信号処理は、高速性、並列処理能力、大容量の情報処理といった利点を持っている。空間光変調理論を用いて光変調器などの研究が行われているが、光変調器は、光ディスプレイ、プリンタ、光インターコネクション、およびホログラムなどの分野に使用される。
【０００３】
回折型光変調器を用いたディスプレイ装置として、通常、光源系、集光部、照明系、回折型光変調器、フーリエフィルタ系、投射系、およびスクリーンを含むものがある。
【０００４】
ここで、光源系は複数の光源からなり、一つの応用において、複数の光源は順次点灯するようにすることができる。集光部は、ミラーと複数のセクション別ミラーからなり、複数の光源から出射される光を合成して一つの光経路を持つようにする。
【０００５】
照明系は、集光部を通過した光を線形(line shape)の平行光に変化させて回折型光変調器に入射させる。回折型光変調器は、入射する線形の平行光を変調して、多数の回折次数を持つ線形の回折光を生成して出射するが、この際、多数の回折次数のうち、応用への使用を所望する回折次数の回折光は、スクリーンに映像を生成するために、その光強度が線形の各地点で同一とならないようにすることができる。すなわち、回折型光変調器で生成された回折光は線形であり、線形の回折光は各地点で相異なる光強度を持つことができるため、スクリーンにスキャニングされるときに２次元映像を生成することができる。
【０００６】
回折型光変調器で生成された回折光はフーリエフィルタ系に入射するが、フーリエフィルタ系はフーリエレンズとセクション別フィルタからなり、回折光を次数別に分離し、分離された次数の回折光のうち所望する次数の回折光のみを通過させる。
【０００７】
投射系はプロジェクションレンズ、スキャナ、およびエフシータレンズからなる。ここで、プロジェクションレンズは入射した回折光を拡大し、スキャナは入射した回折光をスクリーンに投射して映像を生成し、エフシータレンズはスクリーン上に一定の間隔のスポット配列を形成させる。
【０００８】
スキャナは、駆動の際に、予め設定された回転速度で一定に回転する。このようなスキャナから反射される光は一定の間隔のスポット配列を形成させながらスクリーンに走査されるが、このスポット配列はスクリーンを横断する方向に一列に形成されてスキャニングされる。
【０００９】
エフシータレンズは、スキャナによって反射される光をスクリーンに走査させるが、スキャナの現在反射面とスクリーンの走査面間の走査距離を一定に維持させ、スクリーン上の走査線速度を一定に維持させることにより、光スポットの配列間隔を一定にする。このようなエフシータレンズの有無によって、スクリーン上に形成される光スポットの配列間隔が変化する。その例を挙げると、図１Ａおよび図１Ｂに示す通りである。
【００１０】
図１Ａは回折型光変調器を用いたディスプレイ装置にエフシータレンズが備えられた場合の、スクリーン上に形成されるビームスポットの配列状態を示すもので、その間隔が一定であることを示す。
【００１１】
図１Ｂは回折型光変調器を用いたディスプレイ装置にエフシータレンズが備えられていない場合の、スクリーン上に形成されるビームスポットの配列状態を示すもので、その間隔が不規則であることを示している。
【００１２】
上述したような回折型光変調器を用いたディスプレイ装置の場合、スクリーン上のビームスポット配列の間隔を一定に維持させるためにエフシータレンズを採用しているが、このエフシータレンズは、加工および設計上の難しさにより多くの開発時間がかかり、その製造コストが高いという問題点があった。
【発明の開示】
【発明が解決しようとする課題】
【００１３】
そこで、本発明はこのような問題点に鑑みてなされたもので、その目的とするところは、回折型光変調器を用いたディスプレイシステムにおいて、映像有効面の線速を一定に維持するようにスキャナ回転速度を構成して映像有効面に均一な映像が表示されるようにする、スキャニングディスプレイシステムのスキャナプロファイル設定装置を提供することにある。
【課題を解決するための手段】
【００１４】
上記課題を解決するために、本発明は、スキャナを含んでいる投射系を有するスキャニングディスプレイシステムにおいて、前記スキャナからスクリーンに投射される映像の線速度を一定に維持するためのスキャナプロファイルを形成するスキャナプロファイル設定部と、前記スキャナプロファイル設定部で設定されたスキャナプロファイルに応じてスキャナ制御信号を生成するスキャニング制御部と、前記スキャナ制御部で生成されたスキャナプロ制御信号に基づいてスキャナを制御するスキャナ駆動回路とを含んでなる、スキャニングディスプレイシステムのスキャナプロファイル設定装置を提供する。
【発明の効果】
【００１５】
上述した本発明は、高価のエフシータ(F-theta)レンズを使用することなくスキャナの回転角度を調整し、スクリーン上に走査されるビームスポットの間隔を一定に維持させ、光エネルギー分布を均一にすることにより、製造過程を比較的簡単にし且つ製造コストを節減することができる。
【発明を実施するための最良の形態】
【００１６】
以下に添付図面を参照しながら、本発明の好適な実施の形態について詳細に説明する。
【００１７】
図２は本発明の一実施例に係るスキャニングディスプレイシステムのスキャナプロファイル設定装置が適用された回折型光変調器を用いたディスプレイ装置の構成図である。
【００１８】
図２を参照すると、本発明の一実施例に係るスキャニングディスプレイシステムのスキャナプロファイル設定装置が適用された回折型光変調器を用いたディスプレイ装置の構成は、ディスプレイ光学系２０２とディスプレイ電子系２０４を含む。
【００１９】
ディスプレイ光学系２０２は光を生成して出射する光源系２０６を含む。光源系２０６は、ＶＥＣＳＥＬ(Vertical External Cavity Surface Emitting Laser)、ＶＣＳＥＬ(Vertical Cavity Surface Emitting Laser)、ＬＥＤ(Light emitting diode)、ＬＤ(Laser diode)、ＳＬＥＤ(Super Luminescent Diode)などの半導体を用いて製作した光源が使用可能である。
【００２０】
光源系２０６は、レーザー光を放出するが、レーザー光の断面は円形であり、その光の強度プロファイルはガウス分布をしている。その例として、光源系２０６（実際にはＲレーザー光源、Ｇレーザー光源、およびＢレーザー光源からなる）はＲ光、Ｇ光、およびＢ光を順次放出するようにすることができる。
【００２１】
また、ディスプレイ光学系２０２は、光源系２０６から出る光を回折型光変調器２１０に線形の平行光として照射するために照明系２０８を含む。
【００２２】
照明系２０８は、光源系２０６から放出されたレーザー光を線形の細長い光に作った後、平行光に変換して回折型光変調器２１０上に入射させる。
【００２３】
このような照明系２０８は、例えば、凸レンズ（図示せず）からなり、或いは凸レンズ（図示せず）とコリメートレンズ（図示せず）からなる。
【００２４】
また、ディスプレイ光学系２０２は、照明系２０８から照射された線形光を回折させ、回折光の光強度が調節された複数の回折次数の回折光を生成する回折型光変調器２１０を含む。
【００２５】
ここで、回折型光変調器２１０が出射する回折光は、０次回折光、±１次回折光、±２次回折光、±３次回折光などの多くの回折次数の回折光を含み、奇数次数の回折光と偶数次数の回折光はお互い１８０°の位相差異がある。
【００２６】
回折型光変調器２１０が出射する回折光は、線形の細長い回折光になる。
【００２７】
ここで、回折型光変調器２１０は、一例として、上下移動可能であり且つアレイを形成している多数の上部反射部と、上部反射部の間に位置し、上部反射部から一定の距離離れている多数の下部反射部とを含んでなる。回折型光変調器２１０は、上部反射部を駆動する駆動手段として静電気力、静磁気力を使用することができ、一面に上部電極層が形成されており且つ他面に下部電極層が形成されている圧電材料層を使用することができる。
【００２８】
このような回折型光変調器２１０が出射する回折光は、一つの上部反射部とそれに対応する下部反射部とによって形成される回折光が、スクリーン２１８に形成される映像の一つのピクセルに対応する回折光を生成するようにすることができ、２つまたはそれ以上の上部反射部とそれに対応する下部反射部とによって形成される回折光が、スクリーン２１８に形成される一つのピクセルに対応する回折光を生成するようにすることができる。
【００２９】
次に、ディスプレイ光学系２０２は、回折型光変調器２１０から出射された複数の回折次数を持つ回折光をスクリーン２１８に向かうようにしてスクリーン２１８にスキャニングを行う投射系２１２を含んでなる。
【００３０】
ここで、投射系２１２は、スクリーン２１８にスキャニングを行う際に、ディスプレイ電子系２０４の制御によって、スクリーン２１８に表示される映像の線速を一定に維持するようにする。
【００３１】
このような投射系２１２の一例が図３に示されている。図３によれば、投射系２１２は、投射レンズ３１０と、回折光をスクリーン２１８に向かうようにするスキャニングを行うスキャナ３２０とからなる。
【００３２】
投射レンズ３１０は、複数の凸レンズと複数の凹レンズとの組み合わせからなり、回折光の焦点がスクリーン２１８に位置するように入射光を集光する役割を行う。
【００３３】
スキャナ３２０は、ガルバノスキャナ(galvanometer scanner)またはポリゴンミラースキャナ(polygon mirror scanner)であるが、図面では一例としてポリゴンミラースキャナを示している。ガルバノスキャナは、四角形板状をしており、一面にミラーが付着している。また、ガルバノスキャナは、軸を中心として所定の角度範囲内で左右に回転を行う。ポリゴンミラースキャナは、多角柱状をしており、多角柱の側面にミラーが付着している。また、ポリゴンミラースキャナは、軸を中心として一方向に回転し、各側面に付着しているミラーが回転によって入射する光の反射角を変化させてスクリーン２１８に映像を投射する。
【００３４】
一方、ディスプレイ光学系２０２は、投射系２１２とスクリーン２１８との間に位置し、投射系２１２から投射された多くの次数の回折光のうち所望する次数の回折光をスクリーン２１８に通過させるフィルタ光学系２１６を含んでなる。フィルタ光学系２１６として、例えばスリットを使用することができる。
【００３５】
ディスプレイ電子系２０４は光源系２０６、回折型光変調器２１０、および投射系２１２に接続される。ディスプレイ電子系２０４は光源系２０６に電源を提供する。また、ディスプレイ電子系２０４は回折型光変調器２１０の圧電体の上部電極層と下部電極層に駆動電圧を提供して上部反射部を駆動させる。この際、ディスプレイ電子系２０４は、投射系２１２を制御して、投射系２１２がスクリーン２１８に表示される映像の線速を一定に維持させる。
【００３６】
図４は本発明の一実施例に係るスキャニングディスプレイシステムのスキャナプロファイル設定装置が備えられたディスプレイ電子系の構成図である。
【００３７】
図４に示すように、ディスプレイ電子系は、映像入力部４０２、ガンマ基準電圧格納部４０４、映像補正部４０６、エレメント別補正データ格納部４０８、映像データ／同期信号出力部４１０、上部電極電圧範囲制御部４１２、下部電極電圧制御部４１４、光源制御部４１６、光変調器駆動回路４１８、光源駆動回路４２０、入力部４２２、スキャナプロファイル設定部４２４、スキャナプロファイル格納部４２６、スキャニング制御部４２８、およびスキャナ駆動回路４３０を備えている。
【００３８】
ここで、入力部４２２、スキャナプロファイル設定部４２４、スキャナプロファイル格納部４２６、スキャニング制御部４２８、およびスキャナ駆動回路４３０はスキャナプロファイル設定装置４２１を構成する。
【００３９】
映像入力部４０２は、映像イメージデータの入力を受けると同時に、垂直同期信号Ｖｓｙｎｃと水平同期信号Ｈｓｙｎｃの入力を受ける。
【００４０】
映像補正部４０６は、横方向に整列されている映像イメージデータを縦方向に変換するデータトランスポーズ（または映像ピボット）を行い、横方向に入力された映像イメージデータを縦方向の映像イメージデータに変換して出力する。このように映像補正部４０６でデータトランスポーズが必要な理由は、回折型光変調器２１０から出射する走査線は、複数のピクセル（例えば、入力される映像データが４８０＊６４０の場合に４８０個のピクセル）に対してスキャニング回折点光が縦に配列されており、横方向にスキャニングするようになっているためである。
【００４１】
映像補正部４０６は、スキャニング時間にはデータトランスポーズされた映像データを最初列から最終列まで順次出力する。
【００４２】
この際、映像補正部４０６は、映像データに対してエレメント別補正データ格納部４０８に格納されたエレメント別補正データテーブルによる補正を行い、補正された映像データを映像データ／同期信号出力部４１０に出力する。
【００４３】
一方、ガンマ基準電圧格納部４０４には上部電極（ガンマ）基準電圧と下部電極ガンマ基準電圧が格納されている。ここで、上部電極（ガンマ）基準電圧とは、回折型光変調器２１０の光変調器駆動回路４１８がエレメント別に映像データの諧調度による印加電圧を出力するときに参照する上部電極基準電圧を意味し、下部電極基準電圧とは、回折型光変調器２１０の下部電極に印加される駆動電圧をいう。
【００４４】
このようなガンマ基準電圧格納部４０４に上部電極基準電圧と下部電極基準電圧を格納して回折型光変調器２１０の光変調器駆動回路４１８が諧調度による印加電圧を出力するときに参照するようにする必要がある理由は、回折型光変調器２１０から出射される回折光の光強度が印加電圧の電圧レベルに応じて線形的に変わらず、非線形的に変わるガンマ特性を示すためである。
【００４５】
ガンマ基準電圧格納部４０４に格納されている上部電極基準電圧と下部電極基準電圧はそれぞれの光源に対して定められているが、一例として、Ｒ光源に対してはＲ１〜ＲｎのＲ上部電極基準電圧が、Ｇ光源に対してはＧ１〜ＧｎのＧ上部電極基準電圧が、Ｂ光源に対してはＢ１〜ＢｎのＢ上部電極基準電圧が定められている。この際、ガンマ基準電圧格納部４０４に格納されている上部電極基準電圧は、それぞれの光源に対して最小上部電極基準電圧と最大上部電極基準電圧を格納するようにすることもできる。すなわち、ガンマ基準電圧格納部４０４に格納されている上部電極基準電圧はその最小値と最大値のみを格納するようにすることができる。
【００４６】
このような状況の下で、光変調器駆動回路４１８は、映像データ／同期信号出力部４１０から映像データの諧調度が入力されると、上部電極電圧範囲制御部４１２を介して提供される上部電極基準電圧を参照し、当該諧調度に対応する上部電極電圧を得る。この際、上部電極電圧範囲制御部４１２は、ガンマ基準電圧格納部４０４に格納されている上部電極基準電圧を読み出し、読み出した上部電極基準電圧を光変調器駆動回路４１８に出力する。これと同時に、回折型光変調器２１０には下部電極電圧制御部４１４から下部電極電圧が提供されている。すなわち、下部電極電圧制御部４１４は、ガンマ基準電圧格納部４０４に格納された下部電極基準電圧を読み出して回折型光変調器２１０の下部電極に提供する。
【００４７】
これにより、回折型光変調器２１０は、光変調器駆動回路４１８から提供される上部電極電圧と下部電極電圧制御部４１４から提供される下部電極電圧によって駆動され、入射する入射光を変調して回折光を形成する。
【００４８】
一方、エレメント別補正データ格納部４０８に格納されたエレメント別補正データは、映像補正部４０６が映像入力部４０２からの映像データを補正し、補正された出力映像データを生成するために参照するものであって、テーブルに作成できる。
【００４９】
一方、映像データ／同期信号出力部４１０は、映像補正部４０６から出力する映像データを光変調器駆動回路４１８に提供する。
【００５０】
また、映像データ／同期信号出力部４１０は、映像補正部４０６から入力された垂直同期信号と水平同期信号を受け取って出力する。
【００５１】
上部電極電圧範囲制御部４１２は、ガンマ基準電圧格納部４０４に格納されている上部電極基準電圧を読み出して光変調器駆動回路４１８に出力する。
【００５２】
次に、下部電極電圧制御部４１４は、ガンマ基準電圧格納部４０４に格納されている下部電極基準電圧を読み出して回折型光変調器２１０に出力する。
【００５３】
一方、光源制御部４１６は、映像データ／同期信号出力部４１０から垂直同期信号と水平同期信号が入力されると、これらの信号に基づいて光源駆動回路４２０を制御して光源駆動回路４２０が光源をスイッチングするようにする。
【００５４】
光変調器駆動回路４１８は、映像データ／同期信号出力部４１０から映像データ（諧調度）が入力されると、上部電極電圧範囲制御部４１２から提供される上部電極基準電圧を参照し、それによる上部電極の駆動電圧を生成して回折型光変調器２１０に出力する。
【００５５】
一方、スキャナプロファイル設定装置４２１は、前述したように、入力部４２２、スキャナプロファイル設定部４２４、スキャナプロファイル格納部４２６、スキャニング制御部４２８、およびスキャナ駆動回路４３０から構成されている。
【００５６】
ここで、入力部４２２は、スキャナプロファイル設定部４２４がスキャナプロファイルを設定するのに必要な基礎データの入力を−このような基礎データはスキャナ３２０からスクリーン２１８までの最短距離などがある−を受ける。
【００５７】
スキャナプロファイル設定部４２４は、スキャナ３２０がスクリーン２１８に表示する映像が一定の線速を持つようにするためのスキャナ３２０の回転角に対するスキャナプロファイルを入力部４２２からの基礎データを用いて設定し、これをスキャナプロファイル格納部４２６に格納する。
【００５８】
次に、スキャニング制御部４２８は、映像データ／同期信号出力部４１０から垂直同期信号と水平同期信号が入力されると、それに応じるスキャナ制御信号を生成してスキャナ駆動回路４３０に提供する。スキャナ駆動回路４３０は、制御信号に基づいて投射系２１２のスキャナ３２０を駆動する。
【００５９】
図５はスキャナプロファイル設定部がスキャナプロファイルの計算過程を説明するための例示図である。図５を参照してスキャナプロファイルの計算過程をより具体的に考察する。
【００６０】
まず、下記数式で与えられた変数を定義すると、次の通りである。
【００６１】
図５を参照すると、ｘはスキャナ３２０の中心軸を水平に通る水平軸である。ｙはスキャナ３２０の中心軸を垂直に通る垂直軸である。ｒはスキャナ３２０の中心軸からスクリーン２１８までの距離であり、この距離はスキャナ３２０が回転するにつれて可変する。θはスキャナの中心軸からスクリーンの中央点ＣＴまで直線に連結する場合、この直線とＸ軸に沿って点光が移動するときに形成されるラインとの角度である。ｄはスキャナ３２０とスクリーン２１８との最短距離である。ωはスキャナ３２０の等角速度である。Ｖはスクリーン面の線速度である。ｈはスクリーン映像のＸ軸に沿った移動距離を示す。
【００６２】
このような変数を用いてスクリーン面の線速度を定義すると、次の数式１で表される。
【００６３】
Ｖ＝ｒω  ・・（数式１）
【００６４】
上記式から、スクリーン上の線速度の一定条件は次の数式２で表される。
【００６５】
Ｖ＝ｒω＝ｃ（ｃは一定の定数）  ・・（数式２）
【００６６】
このような数式２の回転測定についてまとめると、次の数式３で表される。
【００６７】
ω＝ｃ／ｒ  ・・（数式３）
【００６８】
上記数式３に積分を取ると、次の数式４で表される。
【００６９】
∫ωｄｔ＝θ（ｔ）＝ｃ∫［１／（ｄ２＋ｈ（ｔ）２）１／２］ｄｔ  ・・（数式４）
【００７０】
従って、スキャナの中心軸からスクリーンの中央点ＣＴまで直線によって連結する場合、この直線とＸ軸に沿って点光が移動するときに形成されるラインとの角度であるθで表すと、次の数式５になる。
【００７１】
θ（ｔ）＝ｃｌｎ｜ｈ（ｔ）＋（ｄ２＋ｈ（ｔ）２）１／２］｜    （ｌｎは自然ログ）・・（数式５）
【００７２】
一方、Ｘ軸に沿った、スクリーン２１８に表示される映像の移動距離ｈを関数で表すと、ｈ（ｔ）になり、これは一定の線速を維持しなければならないため、１次関数で表現される。そのグラフが図６に示されている。
【００７３】
ここで、ｈはスクリーン２１８に表示される映像のＸ軸に沿った位置を示す。 水平方向の単位ピクセルの持続時間をΔ（ｔ）とし、総水平解像度をＮとし、映像リフレッシュ時間をＲとすれば、Δ（ｔ）＝Ｒ／Ｎで計算される。
【００７４】
図６において、ｈ（ｔ）値を数式５に適用すると、スキャナプロファイルを得ることができるが、図７はその代入過程を説明するための概念図である。
【００７５】
図７を参照すると、時間ｔにΔ（ｔ）からＮΔ（ｔ）を適用すると、スキャナプロファイルを得ることができる。
【００７６】
その結果を、時間対回転角で表示すると図８Ａの通りであり、時間対回転速度で表示すると図８Ｂの通りである。
【００７７】
結論的に、スキャナ３２０によってスクリーン２１８にスキャニングされる映像の線速を一定にするためには、図８Ａと図８Ｂに示されるように、スキャナ３２０の回転速度と回転角が非線形成を持たなければならない。
【００７８】
具体的に考察すると、スキャナ３２０が中心点を基準とするとき、前端ではさらに低い回転角を持つように制御されるべきであり、中心点を過ぎた後端ではさらに大きい回転角を持つように制御されるべきである。図８Ｂのプロファイルにおいて、スキャナ３２０の大きさに比べてスキャナ３２０がスクリーン２１８から十分離れているとした場合に、スクリーン２１８の中央で角速度ωが最も大きく、両端へ向かって角速度ωが単調に減少し、両端で角速度ωが最も小さい。
【００７９】
このようなスキャナプロファイル設定部４２４によって設定されたスキャナプロファイルは、スキャナプロファイル格納部４２６に格納される。
【００８０】
その後、スキャニング制御部４２８は、映像データ／同期信号出力部４１０から垂直同期信号と水平同期信号が入力されると、それによるスキャナ制御信号を生成してスキャナ駆動回路４３０へ提供する。この際、スキャニング制御部４２８は、スキャナプロファイル格納部４２６に格納されているスキャナプロファイルを参照し、それに応じる制御信号を生成して提供する。
【００８１】
次いで、スキャナ駆動回路４３０は、投射系２１２のスキャナ３２０を制御信号に基づいて駆動する。
【００８２】
なお、上記実施形態は、映像有効面すなわちスクリーン２１８上での映像の移動速度を一定に維持するスキャナプロファイルを用いたが、他の実施形態として、スクリーン２１８上における各ピクセルの映像の移動距離を一定にするスキャナプロファイルを用いてもよい。この場合に、スキャナプロファイル設定部４２４は、スクリーン２１８上での映像の移動速度が遅いほど、各ピクセルの映像を表示する時間を長くするプロファイルを設定して、当該プロファイルをスキャナプロファイル格納部４２６に格納する。ここで、スキャナ３２０の角速度ωを一定にした場合に、各ピクセルの映像を表示する表示時間のプロファイルは、スキャナ３２０からスクリーン２１８への垂線に対する当該映像の投影方向がなす角度θについて、当該角度θが０度の位置に表示すべきピクセルに対して表示時間を最も長く設定し、角度θの絶対値が大きい位置に表示すべきピクセルほど表示時間を短く設定する。このプロファイルを、映像データ／同期信号出力部４１０が参照することにより、スキャニング制御部４２８がスキャナ３２０を一定の角速度ωで回転駆動しつつ、光変調器駆動回路４１８および光源制御部４１６がスクリーン２１８への角度θに対応した表示時間で各ピクセルの映像を表示する。
【図面の簡単な説明】
【００８３】
【図１Ａ】エフシータレンズが回折型光変調器を用いたディスプレイ装置に備えられた場合のスクリーン上のスポット間隔を示す図である。
【図１Ｂ】エフシータレンズが回折型光変調器を用いたディスプレイ装置に備えられていない場合のスクリーン上のスポット間隔を示す図である。
【図２】本発明の一実施例に係るスキャニングディスプレイシステムのスキャナプロファイル設定装置が適用された回折型光変調器を用いたディスプレイ装置の構成図である。
【図３】図２の投射系の一例示図である。
【図４】一実施例に係るスキャニングディスプレイシステムのスキャナプロファイル設定装置が備えられたディスプレイ電子系の構成図である。
【図５】スキャナプロファイル設定部がスキャナプロファイルの計算過程を説明するための例示図である。
【図６】ｈ（ｔ）のグラフである。
【図７】図６におけるｈ（ｔ）値を数式５に適用する過程を説明するための概念図である。
【図８Ａ】スキャナプロファイルを時間対回転角で示すグラフである。
【図８Ｂ】スキャナプロファイルを時間対回転速度で示すグラフである。
【符号の説明】
【００８４】
４０２  映像入力部
４０４  ガンマ基準電圧格納部
４０６  映像補正部
４０８  エレメント別補正データ格納部
４１０  映像データ／同期信号出力部
４１２  上部電極電圧範囲制御部
４１４  下部電極電圧制御部
４１６  光源制御部
４１８  光変調器駆動回路
４２０  光源駆動回路
４２２  入力部
４２４  スキャナプロファイル設定部
４２６  スキャナプロファイル格納部
４２８  スキャニング制御部
４３０  スキャナ駆動回路
【図１Ａ】
2008083698.tif 000003
【図１Ｂ】
2008083698.tif 000004
【図２】
2008083698.tif 000005
【図３】
2008083698.tif 000006
【図４】
2008083698.tif 000007
【図５】
2008083698.tif 000008
【図６】
2008083698.tif 000009
【図７】
2008083698.tif 000010
【図８Ａ】
2008083698.tif 000011
【図８Ｂ】
2008083698.tif 000012